(57)【要約】【課題】通信端末でのアプリケーション使用時の利便性を高めること。【解決手段】表示部３００を備える通信端末１０に搭載される表示制御装置１００において、表示条件記憶部１０１は、複数のアプリそれぞれの表示条件を、それら複数のアプリのそれぞれに対応付けて記憶し、表示制御部１０２は、表示部３００を点灯させるときに、アプリケーション記憶部５００に記憶された複数のアプリのうち、通信端末１０が取得可能な情報に合致する表示条件を有する特定のアプリを、表示部３００の最前面に表示させる。【選択図】図１
2014071848.tif 000002
【特許請求の範囲】
【請求項１】
表示部を備える通信端末に搭載される表示制御装置であって、
複数のアプリケーションそれぞれの表示条件を、前記複数のアプリケーションのそれぞれに対応付けて記憶する記憶部と、
前記表示部を点灯させるときに、前記複数のアプリケーションのうち、前記通信端末が取得可能な情報に合致する前記表示条件を有する特定のアプリケーションを、前記表示部の最前面に表示させる制御部と、
を具備する表示制御装置。
【請求項２】
前記表示条件は、日時の条件を含み、
前記情報は、現在の日時を示す情報を含み、
前記制御部は、前記現在の日時に合致する前記日時の条件を有する前記特定のアプリケーションを前記最前面に表示させる、
請求項１に記載の表示制御装置。
【請求項３】
前記表示条件は、場所の条件を含み、
前記情報は、前記通信端末の現在の位置を示す情報を含み、
前記制御部は、前記現在の位置に合致する前記場所の条件を有する前記特定のアプリケーションを前記最前面に表示させる、
請求項１または２に記載の表示制御装置。
【請求項４】
前記表示条件は、前記通信端末の受信強度の条件を含み、
前記情報は、前記通信端末の現在の受信強度を示す情報を含み、
前記制御部は、前記現在の受信強度に合致する前記受信強度の条件を有する前記特定のアプリケーションを前記最前面に表示させる、
請求項１から３のいずれか一つに記載の表示制御装置。
【請求項５】
前記表示条件は、指定地域の降水確率の条件を含み、
前記情報は、前記指定地域の現在の降水確率を示す情報を含み、
前記制御部は、前記現在の降水確率に合致する前記降水確率の条件を有する前記特定のアプリケーションを前記最前面に表示させる、
請求項１から４のいずれか一つに記載の表示制御装置。
【請求項６】
前記表示条件は、表示優先度の条件を含み、
前記制御部は、前記特定のアプリケーションが複数存在するときに、それら複数の特定のアプリケーションのうち、前記表示優先度が最も高いアプリケーションを前記最前面に表示させる、
請求項１から５のいずれか一つに記載の表示制御装置。
【請求項７】
ディスプレイと、
複数のアプリケーションそれぞれの表示条件を、前記複数のアプリケーションのそれぞれに対応付けて記憶するメモリと、
前記ディスプレイを点灯させるときに、前記複数のアプリケーションのうち、通信端末が取得可能な情報に合致する前記表示条件を有する特定のアプリケーションを、前記ディスプレイの最前面に表示させるプロセッサと、
を具備する通信端末。
【請求項８】
表示部を備える通信端末における表示制御方法であって、
複数のアプリケーションそれぞれの表示条件を、前記複数のアプリケーションのそれぞれに対応付けて記憶する記憶部を参照し、
前記表示部を点灯させるときに、前記複数のアプリケーションのうち、前記通信端末が取得可能な情報に合致する前記表示条件を有する特定のアプリケーションを、前記表示部の最前面に表示させる、
表示制御方法。
【請求項９】
表示部を備える通信端末において実行される表示制御プログラムであって、
複数のアプリケーションそれぞれの表示条件を、前記複数のアプリケーションのそれぞれに対応付けて記憶する記憶部を参照し、
前記表示部を点灯させるときに、前記複数のアプリケーションのうち、前記通信端末が取得可能な情報に合致する前記表示条件を有する特定のアプリケーションを、前記表示部の最前面に表示させる、
処理をプロセッサに実行させる表示制御プログラム。
【発明の詳細な説明】
【技術分野】
【０００１】
本発明は、表示制御装置、通信端末、表示制御方法及び表示制御プログラムに関する。
【背景技術】
【０００２】
ディスプレイを備える通信端末では、通信端末に対する操作が所定時間行われなかったときにディスプレイが一旦消灯し、その後操作が行われたときにディスプレイが再び点灯する。
【０００３】
最近、データ通信可能な通信端末としてスマートフォンが注目されている。スマートフォンには多数のアプリケーション（以下では「アプリ」と省略して呼ばれることがある）をインストールすることができる。
【０００４】
そこで、従来技術として、ディスプレイが消灯する直前にディスプレイに表示されていたアプリを、ディスプレイが再び点灯するときにディスプレイの最前面に表示させるものがある。
【先行技術文献】
【特許文献】
【０００５】
【特許文献１】特開平７-１３１７３２号公報
【発明の概要】
【発明が解決しようとする課題】
【０００６】
しかしながら、ディスプレイが点灯するときにディスプレイの最前面にどのアプリを表示させたいかは、通信端末の利用者毎に異なる。すなわち、ディスプレイが消灯する直前にディスプレイに表示されていたアプリと異なるアプリをディスプレイの最前面に表示させたい利用者も存在する。また、利用者が通信端末を使用する日時または場所等に応じて、利用者が使用したいアプリも異なる。よって、上記従来技術のようにディスプレイが消灯する直前にディスプレイに表示されていたアプリが一律にディスプレイの最前面に表示されると、利用者にとって不便なことがある。
【０００７】
開示の技術は、上記に鑑みてなされたものであって、通信端末でのアプリケーション使用時の利便性を高めることができる表示制御装置、通信端末、表示制御方法及び表示制御プログラムを提供することを目的とする。
【課題を解決するための手段】
【０００８】
開示の態様の表示制御装置は、表示部を備える通信端末に搭載される表示制御装置であって、複数のアプリケーションそれぞれの表示条件を、前記複数のアプリケーションのそれぞれに対応付けて記憶する記憶部と、前記表示部を点灯させるときに、前記複数のアプリケーションのうち、前記通信端末が取得可能な情報に合致する前記表示条件を有する特定のアプリケーションを、前記表示部の最前面に表示させる制御部と、を具備する。
【発明の効果】
【０００９】
開示の態様によれば、通信端末でのアプリケーション使用時の利便性を高めることができる。
【図面の簡単な説明】
【００１０】
【図１】図１は、一実施例の通信端末の一例を示す機能ブロック図である。
【図２】図２は、一実施例の表示条件テーブルの一例を示す図である。
【図３】図３は、一実施例の表示条件設定部の処理の説明に供する図である。
【図４】図４は、一実施例の表示制御部の処理の説明に供する図である。
【図５】図５は、一実施例の表示制御部の処理の説明に供するフローチャートである。
【図６】図６は、通信端末のハードウェア構成例を示す図である。
【発明を実施するための形態】
【００１１】
以下に、本願の開示する表示制御装置、通信端末、表示制御方法及び表示制御プログラムの実施例を図面に基づいて詳細に説明する。なお、この実施例により本願の開示する表示制御装置、通信端末、表示制御方法及び表示制御プログラムが限定されるものではない。また、実施例において同一の機能を有する構成には同一の符号を付し、重複する説明は省略される。
【００１２】
［実施例］
＜通信端末の構成＞
図１は、一実施例の通信端末の一例を示す機能ブロック図である。図１において、通信端末１０は、表示制御装置１００と、操作部２００と、表示部３００と、表示条件設定部４００と、アプリケーション記憶部５００とを有する。また、表示制御装置１００は、表示条件記憶部１０１と、表示制御部１０２とを有する。このように、表示制御装置１００は、表示部３００を備える通信端末１０に搭載されるものである。
【００１３】
表示条件記憶部１０１は、複数のアプリそれぞれの表示条件を、それら複数のアプリのそれぞれに対応付けて記憶する。具体的には、表示条件記憶部１０１には、それぞれのアプリと、表示条件とを対応付けた表示条件テーブルが設定される。
【００１４】
表示制御部１０２は、通信端末１０に対する操作が所定時間なされないときは、表示部３００を一旦消灯させる。一方で、表示制御部１０２は、表示部３００の消灯時に操作部２００を介して通信端末１０に対する操作がなされたときに、表示部３００を再び点灯させる。また、表示制御部１０２には、通信端末１０が取得可能な情報（以下では「取得情報」と呼ばれることがある）が入力される。表示制御部１０２は、表示部３００を点灯させるときに、表示条件記憶部１０１を参照し、アプリケーション記憶部５００に記憶された複数のアプリのうち、取得情報に合致する表示条件を有する特定のアプリを、表示部３００の最前面に表示させる。
【００１５】
アプリケーション記憶部５００は、通信端末１０にインストールされた複数のアプリを記憶する。
【００１６】
表示条件設定部４００は、操作部２００を介してなされる操作に従って、表示条件記憶部１０１に表示条件テーブルを設定する。また、表示条件設定部４００は、操作部２００を介してなされる操作に従って、表示部３００に表示条件の設定画面を表示させる。
【００１７】
＜表示条件テーブルの具体例＞
図２は、一実施例の表示条件テーブルの一例を示す図である。図２に示すように、表示条件テーブルには、複数のアプリそれぞれの表示条件が設定される。表示条件には、具体的には、日時の条件、場所の条件、通信端末１０の受信強度の条件、及び、指定地域の降水確率の条件の少なくとも一つが含まれる。利用者は、操作部２００を介した操作によって、各アプリ毎のこれらの表示条件の１つまたは複数に所望の条件を設定し得る。表示条件テーブルにおける所望の条件の設定は、表示条件設定部４００によってなされる。そして、以下のようにして、表示制御部１０２は、表示部３００を点灯させるときに、表示条件記憶部１０１を参照し、アプリケーション記憶部５００に記憶された複数のアプリのうち、取得情報に合致する表示条件を有する特定のアプリを、表示部３００の最前面に表示させる。
【００１８】
例えば、利用者は、「アラーム」アプリに対して、日時の条件として、「月曜日〜金曜日の７：００〜８：００」の表示条件を設定可能である。このように、いずれかのアプリに対し日時の条件が設定されたときは、表示制御部１０２に入力される取得情報には、現在の日時を示す情報が含まれる。そして、表示制御部１０２は、現在の日時が「月曜日〜金曜日の７：００〜８：００」に合致するときに、「アラーム」アプリを表示部３００の最前面に表示させる。なお、日時の条件が設定されるアプリは「アラーム」アプリに限らない。つまり、表示制御部１０２は、現在の日時に合致する日時の条件を有する特定のアプリを表示部３００の最前面に表示させる。これにより、所望の条件に合致する日時に所望のアプリを自動的に表示部３００の最前面に優先的に表示させることができる。
【００１９】
また例えば、利用者は、「マップ」アプリに対して、場所の条件として、「東京駅の半径１ｋｍ以内」の表示条件を設定可能である。このように、いずれかのアプリに対し場所の条件が設定されたときは、表示制御部１０２に入力される取得情報には、通信端末１０の現在の位置を示す情報が含まれる。通信端末１０の現在の位置を示す情報は、通信端末１０が有するＧＰＳ（Global  Positioning  System）機能によって取得可能である。そして、表示制御部１０２は、通信端末１０の現在の位置が「東京駅の半径１ｋｍ以内」に合致するときに、「マップ」アプリを表示部３００の最前面に表示させる。なお、場所の条件が設定されるアプリは「マップ」アプリに限らない。つまり、表示制御部１０２は、通信端末１０の現在の位置に合致する場所の条件を有する特定のアプリを表示部３００の最前面に表示させる。これにより、所望の条件に合致する場所で所望のアプリを自動的に表示部３００の最前面に優先的に表示させることができる。
【００２０】
また例えば、利用者は、「通信設定」アプリに対して、受信強度の条件として、「レベル３未満」の表示条件を設定可能である。このように、いずれかのアプリに対し受信強度の条件が設定されたときは、表示制御部１０２に入力される取得情報には、通信端末１０の現在の受信強度を示す情報が含まれる。従来から通信端末では、受信強度を例えばレベル１〜５の５段階で表示部３００に表示させるために、受信強度の測定が行われている。よって、通信端末１０の現在の受信強度を示す情報は容易に取得可能である。そして、表示制御部１０２は、通信端末１０の現在の受信強度が「レベル３未満」に合致するときに、「通信設定」アプリを表示部３００の最前面に表示させる。なお、受信強度の条件が設定されるアプリは「通信設定」アプリに限らない。すなわち、表示制御部１０２は、通信端末１０の現在の受信強度に合致する受信強度の条件を有する特定のアプリを表示部３００の最前面に表示させる。これにより、所望の条件に合致する受信強度のときに所望のアプリを自動的に表示部３００の最前面に優先的に表示させることができる。
【００２１】
また例えば、利用者は、「天気予報」アプリに対して、指定地域の降水確率の条件として、「現在地の半径５ｋｍ以内の地点の降水確率が５０％以上」の表示条件を設定可能である。このように、いずれかのアプリに対し指定地域の降水確率の条件が設定されたときは、表示制御部１０２に入力される取得情報には、指定地域の現在の降水確率を示す情報が含まれる。指定地域の現在の降水確率を示す情報は、「天気予報」アプリをバックグラウンドで動作させておくことによって取得可能である。また、通信端末１０の現在地を基準にして指定地域が設定されたときには、「天気予報」アプリは、通信端末１０の現在の位置を示す情報に基づいて現在地周辺の降水確率を取得可能である。そして、表示制御部１０２は、現在地の半径５ｋｍ以内に降水確率が５０％以上の地点があるときに、「天気予報」アプリを表示部３００の最前面に表示させる。なお、指定地域の降水確率の条件が設定されるアプリは「天気予報」アプリに限らない。すなわち、表示制御部１０２は、指定地域の現在の降水確率に合致する降水確率の条件を有する特定のアプリを表示部３００の最前面に表示させる。これにより、所望の条件に合致する降水確率のときに所望のアプリを自動的に表示部３００の最前面に優先的に表示させることができる。
【００２２】
ここで、表示条件テーブルは、図２に示すように、優先表示の「ＯＮ（有効）」または「ＯＦＦ（無効）」の条件を含んでもよい。この場合、優先表示が「ＯＮ（有効）」に設定されたアプリのみが、上記のような優先表示の対象となる。例えば図２においては、「アラーム」、「マップ」、「通信設定」、「天気予報」、及び、「歩数計」の各アプリが優先表示の対象となる。これに対し、「乗換案内」アプリに対しては、場所の条件が設定されている一方で、優先表示が「ＯＦＦ（無効）」に設定されているため、「乗換案内」アプリは優先表示の対象から除外される。これにより、特定のアプリに対し表示条件を設定したまま、その特定のアプリを優先表示対象から除外することができる。よって、その特定のアプリを優先表示対象に加えるときに、表示条件を新たに設定する手間を省くことができる。
【００２３】
また、表示条件テーブルには、図２に示すように、指定画面を設定可能である。例えば、１つのアプリに対して、表示態様が互いに異なる指定画面Ａ〜Ｃのいずれかを設定可能とする。これにより、表示部３００の最前面に優先的に表示させるアプリの表示態様を、利用者の好みにあったものにすることができる。
【００２４】
さらに、表示条件テーブルに設定される表示条件は、表示優先度の条件を含んでもよい。図２では、表示優先度は、登録番号として設定される。すなわち、登録番号が小さいほど、表示優先度が高い。すなわち、「アラーム」アプリ→「マップ」アプリ→「通信設定」アプリ→「天気予報」アプリ→「乗換案内」アプリ→「歩数計」アプリの順に、表示優先度が高い。ここで、例えば、日時の条件として、登録番号が「１」の「アラーム」アプリに対して「月曜日〜金曜日の７：００〜８：００」の表示条件が設定され、登録番号が「６」の「歩数計」アプリに対して「毎日の７：００〜８：００」の表示条件が設定される。よって、現在の日時が「月曜日〜金曜日の７：００〜８：００」であるときは、表示条件に合致するアプリは、「アラーム」アプリと「歩数計」アプリの２つ存在することになる。このとき、表示制御部１０２は、これら２つのアプリのうち、登録番号が最も小さい、すなわち、表示優先度が最も高い「アラーム」アプリを表示部３００の最前面に優先的に表示させる。一方で、例えば現在の日時が「土曜日の７：００〜８：００」であるときは、現在の日時は「アラーム」アプリの表示条件に合致しなくなるため、表示制御部１０２は、「歩数計」アプリを表示部３００の最前面に優先的に表示させる。これにより、設定された表示条件に重複部分がある複数のアプリが存在するときに、それら複数のアプリのうち所望のアプリを表示部３００の最前面に優先的に表示させることができる。
【００２５】
＜表示条件設定部の処理＞
図３は、一実施例の表示条件設定部の処理の説明に供する図である。図３には、表示条件設定部４００が、表示条件テーブルへ表示条件を設定するにあたり、表示部３００に表示させる設定画面の一例を示す。ここでは、表示部３００と操作部２００とが積層された構造をとり、表示部３００に表示された各項目を利用者がタッチすることにより通信端末１０に対する入力がなされる場合を一例として説明する。
【００２６】
表示条件設定部４００は、まず、アプリ一覧画面３１を表示部３００に表示させる。
【００２７】
アプリ一覧画面３１において利用者が「アラーム」アプリを選択して「詳細」ボタンをタッチした場合には、表示条件設定部４００は、「アラーム」アプリに対する設定の詳細を示す詳細画面３２を表示部３００に表示させる。
【００２８】
アプリ一覧画面３１または詳細画面３２において利用者が「編集」ボタンをタッチした場合には、表示条件設定部４００は、編集画面３３を表示部３００に表示させる。
【００２９】
編集画面３３において利用者は、表示条件の設定対象となる所望のアプリ、すなわち、優先表示させたい所望のアプリを選択可能である。また、編集画面３３において利用者は、各表示条件の項目を指定可能である。また、編集画面３３において利用者は、優先表示の「ＯＮ（有効）」または「ＯＦＦ（無効）」を指定可能である。ここでは、優先表示させたい所望のアプリとして「アラーム」アプリが選択されたものとする。
【００３０】
編集画面３３において利用者が「日時指定」を選択して「選択」ボタンをタッチした場合には、表示条件設定部４００は、日時の条件の指定画面３４を表示部３００に表示させる。そして、表示条件設定部４００は、指定画面３４での入力内容に応じて、「アラーム」アプリに対する日時の条件を表示条件記憶部１０１の表示条件テーブルに設定する。
【００３１】
編集画面３３において利用者が「場所指定」を選択して「選択」ボタンをタッチした場合には、表示条件設定部４００は、場所の条件の指定画面３５を表示部３００に表示させる。そして、表示条件設定部４００は、指定画面３５での入力内容に応じて、「アラーム」アプリに対する場所の条件を表示条件記憶部１０１の表示条件テーブルに設定する。
【００３２】
編集画面３３において利用者が「画面指定」を選択して「選択」ボタンをタッチした場合には、表示条件設定部４００は、画面の指定画面３６を表示部３００に表示させる。そして、表示条件設定部４００は、指定画面３６での入力内容に応じて、「アラーム」アプリに対する指定画面を表示条件記憶部１０１の表示条件テーブルに設定する。
【００３３】
＜表示制御部の処理＞
図４は、一実施例の表示制御部の処理の説明に供する図である。図４には、表示制御部１０２の制御に従って表示部３００に表示される画面の遷移状態を示す。
【００３４】
「アラーム」アプリが起動されている状態（状態４１）で、「メール」アプリが起動されると、表示制御部１０２は、「メール」アプリを表示部３００の最前面に表示させる（状態４２）。
【００３５】
状態４２のまま通信端末１０に対する操作が所定時間なされないときは、表示制御部１０２は、表示部３００を一旦消灯させる(状態４３)。
【００３６】
そして、表示部３００が消灯した状態４３において操作部２００を介して通信端末１０に対する操作がなされたときに、表示制御部１０２は、取得情報に合致する表示条件を有する特定のアプリを表示部３００の最前面に表示させる（状態４４）。ここでは、「アラーム」アプリが、取得情報に合致する表示条件を有するものとする。
【００３７】
図５は、一実施例の表示制御部の処理の説明に供するフローチャートである。
【００３８】
表示制御部１０２は、操作部２００を介して通信端末１０に対する操作が行われているか否か監視する（ステップＳ５１）。
【００３９】
通信端末１０に対する操作が所定時間内に行われている間は、表示制御部１０２は、ステップＳ５１の監視を継続する（ステップＳ５１：Ｎｏ）。
【００４０】
通信端末１０に対する操作が所定時間なかったときは（ステップＳ５１：Ｙｅｓ）、表示制御部１０２は、表示部３００を消灯させる（ステップＳ５２）。
【００４１】
次いで、表示制御部１０２は、通信端末１０に対する操作があるか否か監視する（ステップＳ５３）。
【００４２】
通信端末１０に対する操作が行われていない間は、表示制御部１０２は、ステップＳ５３の監視を継続する（ステップＳ５３：Ｎｏ）。
【００４３】
通信端末１０に対する操作が行われたとき（ステップＳ５３：Ｙｅｓ）、表示制御部１０２は、優先表示の対象となるアプリ、すなわち、優先表示が「ＯＮ（有効）」に設定されたアプリが、表示条件記憶部１０１の表示条件テーブルに存在するか否か判断する（ステップＳ５４）。
【００４４】
優先表示の対象となるアプリが表示条件テーブルに存在するときは（ステップＳ５４：Ｙｅｓ）、表示制御部１０２は、取得情報に合致する表示条件を有するアプリがあるか否か判断する（ステップＳ５５）。
【００４５】
取得情報に合致する表示条件を有するアプリがあるときは（ステップＳ５５：Ｙｅｓ）、表示制御部１０２は、その優先表示アプリを表示部３００の最前面に表示させ（ステップＳ５６）、表示部３００を点灯させる（ステップＳ５７）。
【００４６】
ステップＳ５４において優先表示の対象となるアプリが存在しないとき（ステップＳ５４：Ｎｏ）、または、ステップＳ５５において取得情報に合致する表示条件を有するアプリがないときは（ステップＳ５５：Ｎｏ）、表示制御部１０２は、表示部３００を消灯させたときの画面のまま表示部３００を点灯させる（ステップＳ５７）。
【００４７】
以上のように上記実施例によれば、表示部３００を備える通信端末１０に搭載される表示制御装置１００において、表示条件記憶部１０１は、複数のアプリそれぞれの表示条件を、それら複数のアプリのそれぞれに対応付けて記憶する。表示制御部１０２は、表示部３００を点灯させるときに、アプリケーション記憶部５００に記憶された複数のアプリのうち、通信端末１０が取得可能な情報に合致する表示条件を有する特定のアプリを、表示部３００の最前面に表示させる。これにより、表示部３００が点灯するときに、利用者が指定した条件に合致する所望のアプリを表示部３００の最前面に優先的に表示させることができる。よって、通信端末１０でのアプリ使用時の利便性を高めることができる。
【００４８】
［他の実施例］
［１］上記実施例の通信端末１０は、次のようなハードウェア構成により実現することができる。図６は、通信端末のハードウェア構成例を示す図である。
【００４９】
図６に示すように、通信端末１０は、ハードウェアの構成要素として、アンテナ１０ａと、ＲＦ（Radio  Frequency）回路１０ｂと、ＣＰＵ（Central  Processing  Unit）１０ｃと、タッチパネル１０ｄと、ＬＣＤ（Liquid  Crystal  Display）等のディスプレイ１０ｅと、メモリ１０ｆとを有する。メモリ１０ｆは、例えば、ＳＤＲＡＭ等のＲＡＭ、ＲＯＭ、フラッシュメモリにより構成される。
【００５０】
表示制御部１０２と、表示条件設定部４００とは、ＣＰＵ１０ｃにより実現される。操作部２００は、タッチパネル１０ｄにより実現される。表示部３００は、ディスプレイ１０ｅにより実現される。表示条件記憶部１０１と、アプリケーション記憶部５００とは、メモリ１０ｆにより実現される。
【００５１】
［２］上記説明における各種の処理は、予め用意されたプログラムをＣＰＵ１０ｃに実行させることによっても実現できる。すなわち、表示制御部１０２と、表示条件設定部４００とによって実行される各処理に対応するプログラムが予めメモリ１０ｆに記憶され、各プログラムがＣＰＵ１０ｃへ読み出されてプロセスとして機能してもよい。また、各プログラムは、必ずしも予めメモリ１０ｆに記憶される必要はない。すなわち、例えば、通信端末１０に接続可能なフレキシブルディスク（ＦＤ）、ＣＤ−ＲＯＭ、ＭＯディスク、ＤＶＤディスク、光磁気ディスク、ＩＣカード、メモリカード等の可搬の記録媒体に各プログラムが予め記録され、各プログラムがＣＰＵ１０ｃへ読み出されてプロセスとして機能してもよい。また例えば、インターネット、ＬＡＮ、ＷＡＮ等を介して無線または有線により通信端末１０に接続されるコンピュータまたはサーバ等に各プログラムが予め記憶され、各プログラムがＣＰＵ１０ｃへ読み出されてプロセスとして機能してもよい。
【符号の説明】
【００５２】
１０  通信端末
１００  表示制御装置
１０１  表示条件記憶部
１０２  表示制御部
２００  操作部
３００  表示部
４００  表示条件設定部
５００  アプリケーション記憶部
【図１】
2014071848.tif 000003
【図２】
2014071848.tif 000004
【図３】
2014071848.tif 000005
【図４】
2014071848.tif 000006
【図５】
2014071848.tif 000007
【図６】
2014071848.tif 000008